【手続補正書】
【提出日】平成24年5月8日(2012.5.8)
【手続補正１】
【補正対象書類名】明細書
【補正対象項目名】発明の名称
【補正方法】変更
【補正の内容】
【発明の名称】多相ＤＣ−ＤＣコンバータ制御システム及び制御方法
【手続補正２】
【補正対象書類名】特許請求の範囲
【補正対象項目名】全文
【補正方法】変更
【補正の内容】
【特許請求の範囲】
【請求項１】
電池と直流（ＤＣ）リンクとの間にＤＣ−ＤＣコンバータ内で並列に接続された第１レグ及び第２レグを制御する制御システムであって、
第１期間中に前記第１レグを流れる電流の量及び第２期間中に前記第２レグを流れる電流の量を含む、前記直流リンクを流れる電流の量を示すセンサ信号を生成する単一の電流センサと、
前記単一の電流センサから前記センサ信号を受け取り、第１指令信号を生成して前記第１レグに送信し、第２指令信号を生成して前記第２レグに送信するコントローラとを備え、
前記第１指令信号は前記第１レグを流れる電流を制御し、前記第２指令信号は前記第２レグを流れる電流を制御し、
前記コントローラは、前記第１レグおよび前記第２レグの熱の差分を放散させるように、前記電流を前記第１レグと前記第２レグとの間で再分配する
制御システム。
【請求項２】
前記コントローラは、前記第１指令信号及び前記第２指令信号を送信して、前記第１レグを流れる電流の量が前記第２レグを流れる電流の量と異なるように前記第１レグを流れる電流の量を変更する
請求項１に記載の制御システム。
【請求項３】
前記第１指令信号は第１スイッチング信号及び第２スイッチング信号を含み、
前記第２指令信号は第３スイッチング信号及び第４スイッチング信号を含み、
前記第１スイッチング信号は前記第１レグの第１スイッチを制御し、
前記第２スイッチング信号は前記第１レグの第２スイッチを制御し、
前記第３スイッチング信号は前記第２レグの第３スイッチを制御し、
前記第４スイッチング信号は前記第２レグの第４スイッチを制御する
請求項１に記載の制御システム。
【請求項４】
前記第１スイッチング信号は前記第２スイッチング信号と相補であり、前記第３スイッチング信号は前記第４スイッチング信号と相補である
請求項３に記載の制御システム。
【請求項５】
前記単一の電流センサが、前記直流リンクを流れる電流の量を検出し、前記第１期間に前記第１レグを流れる電流の量を示す前記センサ信号を生成できるように、
前記第１スイッチング信号は前記第１スイッチをオフ状態に切り換え、
前記第２スイッチング信号は前記第２スイッチをオン状態に切り換え、
前記第３スイッチング信号は前記第３スイッチをオン状態に切り換え、
前記第４スイッチング信号は前記第４スイッチをオフ状態に切り換える
請求項３に記載の制御システム。
【請求項６】
前記第１レグを流れる電流の量は、前記第１レグのインダクタを流れる電流の量を示す
請求項５に記載の制御システム。
【請求項７】
前記単一の電流センサが、前記直流リンクを流れる電流の量を検出し、前記第２期間に前記第２レグを流れる電流の量を示す前記センサ信号を生成できるように、
前記第１スイッチング信号は前記第１スイッチをオン状態に切り換え、
前記第２スイッチング信号は前記第２スイッチをオフ状態に切り換え、
前記第３スイッチング信号は前記第３スイッチをオフ状態に切り換え、
前記第４スイッチング信号は前記第４スイッチをオン状態に切り換える
請求項３に記載の制御システム。
【請求項８】
前記第２レグを流れる電流の量は、前記第２レグのインダクタを流れる電流の量を示す
請求項７に記載の制御システム。
【請求項９】
前記コントローラは、前記第１レグの電流の目標量及び前記第２レグの電流の目標量に応じて前記第１レグと前記第２レグとの間で電流を再分配するための前記第１指令信号及び前記第２指令信号を、生成する
請求項１に記載の制御システム。
【請求項１０】
前記単一の電流センサは、センターアラインパルス幅変調（ＰＷＭ）方式を用いて、前記直流リンクを流れる電流の量を検出する
請求項１に記載の制御システム。
【請求項１１】
前記単一の電流センサは、５〜２０ｋＨｚの間のスイッチング周波数において前記直流リンクを流れる電流の量を検出する
請求項１０に記載の制御システム。
【請求項１２】
前記スイッチング周波数は１０ｋＨｚである
請求項１１に記載の制御システム。
【請求項１３】
電池と直流（ＤＣ）リンクとの間に並列に接続された第１レグ及び第２レグを制御する制御システムであって、
センターアラインパルス幅変調（ＰＷＭ）方式を用いて前記直流リンクを流れる電流の量を検出し、第１期間中に前記第１レグを流れる電流の量及び第２期間中に前記第２レグを流れる電流の量を示す、前記直流リンクを流れる電流の量を示すセンサ信号を生成するよう構成される単一の電流センサと、
前記単一の電流センサから前記センサ信号を受け取り、前記第１レグを流れる電流の量を前記第１レグの電流の目標量と比較して、第１指令信号を生成して前記第１レグに送信し、前記第２レグを流れる電流の量を前記第２レグの電流の目標量と比較して、第２指令信号を生成して前記第２レグに送信するコントローラとを備え、
前記第１指令信号は第１スイッチング信号および第２スイッチング信号を含み、前記第２指令信号は第３スイッチング信号および第４スイッチング信号を含み、
前記第１スイッチング信号は前記第１レグの第１スイッチを制御し、前記第２スイッチング信号は前記第１レグの第２スイッチを制御し、前記第３スイッチング信号は前記第２レグの第３スイッチを制御し、前記第４スイッチング信号は前記第２レグの第４スイッチを制御することによって、前記第１レグを流れる電流の量および前記第２レグを流れる電流の量を制御し、
前記コントローラは、前記第１レグおよび前記第２レグの熱の差分を放散させるように、前記電流を前記第１レグと前記第２レグとの間で再分配する
制御システム。
【請求項１４】
前記単一の電流センサが、前記第１および第２期間中に前記直流リンクを流れる電流の量を検出し、前記第１期間に前記第１レグを流れる電流の量及び前記第２期間に前記第２レグを流れる電流の量を示す前記センサ信号を生成できるように、
前記第１期間中には、
前記第１スイッチング信号は前記第１スイッチをオフ状態に切り換え、
前記第２スイッチング信号は前記第２スイッチをオン状態に切り換え、
前記第３スイッチング信号は前記第３スイッチをオン状態に切り換え、
前記第４スイッチング信号は前記第４スイッチをオフ状態に切り換え、
前記第２期間中には、
前記第１スイッチング信号は前記第１スイッチをオン状態に切り換え、
前記第２スイッチング信号は前記第２スイッチをオフ状態に切り換え、
前記第３スイッチング信号は前記第３スイッチをオフ状態に切り換え、
前記第４スイッチング信号は前記第４スイッチをオン状態に切り換える
請求項１３に記載の制御システム。
【請求項１５】
前記コントローラは、互いに異なる前記第１レグの電流の目標量及び前記第２レグの電流の目標量に応じて、前記第１スイッチング信号、前記第２スイッチング信号、前記第３スイッチング信号、及び前記第４スイッチング信号を生成して、前記第１レグを流れる電流の量が前記第２レグを流れる電流の量と異なるように前記第１レグを流れる電流の量を変更する
請求項１４に記載の制御システム。
【請求項１６】
前記コントローラは、前記第１及び第２レグのうち少なくとも１つにおいてリップル電流が反対の向きに流れることを避けようとして前記第１及び第２指令信号を生成して送信するよう構成される
請求項１に記載の制御システム。
【請求項１７】
前記コントローラは、前記第１レグを流れる電流の量を前記第１レグの電流の目標量と比較して、前記第１指令信号を生成し、前記第２レグを流れる電流の量を前記第２レグの電流の目標量と比較して、第２指令信号を生成する
請求項１に記載の制御システム。
【請求項１８】
前記第１及び第２レグの電流の目標量は互いに異なる
請求項１に記載の制御システム。
【請求項１９】
電池と直流（ＤＣ）リンクとの間にＤＣ−ＤＣコンバータ内で並列に接続された第１レグ及び第２レグを制御する制御方法であって、
前記直流リンク中の単一の電流センサを用いて、第１期間中に前記第１レグを流れる電流の量及び第２期間中に前記第２レグを流れる電流の量を検出すること、
前記第１及び第２レグの電流の量を、互いに異なる第１及び第２レグの電流の目標量とそれぞれ比較すること、及び
前記第１及び第２レグの電流の量を前記第１及び第２レグの電流の目標量とそれぞれ比較することに応じて、前記第１及び第２レグを制御すること
を含み、
前記第１及び第２レグを制御することは、前記第１レグおよび前記第２レグの熱の差分を放散させるように、前記第１レグ及び前記第２レグを流れる電流が互いに異なるよう前記第１レグ及び前記第２レグを流れる電流を制御する
制御方法。
【請求項２０】
前記第１及び第２レグを制御することは、
前記第１及び第２レグのうち少なくとも１つにおいてリップル電流が反対の向きに流れることを避けようとして前記第１レグ及び前記第２レグを流れる電流を変更する
請求項１９に記載の制御方法。